(57)【要約】【課題】摩擦材とワンウェイクラッチとを軸方向から凹凸係合させることにより、ワンウェイクラッチの「振れ」を抑制するようにした減速機構付モータの提供。【解決手段】摩擦材４３のワンウェイクラッチ３３側にすり鉢形状凹部４３ｃを形成するとともに、ワンウェイクラッチ３３の摩擦材４３側に円錐形状凸部３３ｂを形成し、摩擦材４３とワンウェイクラッチ３３とを回転自在に凹凸係合した。これにより、ワンウェイクラッチ３３の「振れ」を効果的に抑制してワンウェイクラッチ３３の回転を安定化することができ、先端側軸受４４の磨耗を抑えてモータ軸２４の摺動損失の増大を抑制することができるとともに、ワンウェイクラッチ３３における異音の発生を抑制することができる。【選択図】図３
2008092775.tif 000002
【特許請求の範囲】
【請求項１】
ウォームが一体的に設けられたモータ軸を有する電動モータと、前記ウォームと噛合い前記モータ軸の回転を減速するウォームホイールと、前記電動モータに取付けられ前記ウォームホイールを収容するギヤケースと、前記モータ軸の先端側に組み付けられ前記ウォームホイールから前記モータ軸への外力負荷時に前記モータ軸と前記ギヤケースとの相対回転を規制するワンウェイクラッチとを備えた減速機構付モータであって、
前記ギヤケース内に設けられ、前記ウォームを収容するウォーム収容部と、
前記ウォーム収容部に圧入され、前記モータ軸を前記ウォームと前記ワンウェイクラッチとの間で回転自在に支持する軸受と、
前記ウォーム収容部の底部に設けられ、前記モータ軸の軸方向への変位に応じて前記ワンウェイクラッチが押圧される摩擦材とを有し、
前記摩擦材の前記ワンウェイクラッチ側に凹部または凸部を形成するとともに、前記ワンウェイクラッチの前記摩擦材側に凸部または凹部を形成し、前記摩擦材と前記ワンウェイクラッチとを回転自在に凹凸係合することを特徴とする減速機構付モータ。
【請求項２】
請求項１記載の減速機構付モータにおいて、前記凹部をすり鉢形状に形成することを特徴とする減速機構付モータ。
【発明の詳細な説明】
【技術分野】
【０００１】
本発明は、パワーウィンドウ装置等のアクチュエータとして用いられる減速機構付モータに関する。
【背景技術】
【０００２】
一般に、自動車等の車両に搭載されるパワーウィンドウ装置に用いられるアクチュエータとしては、比較的大きな出力が得られる減速機構付モータが用いられている。このパワーウィンドウ装置に用いられる減速機構付モータは、ウィンドウが外力負荷により開けられてしまうのを防止することが要求され、このための手法としては、減速機構を構成するウォームとウォームホイールとの減速比によって発生するトルクや、ウォームホイールへの外力負荷時やウォームホイールの回転駆動時のモータ軸の軸方向への変位によって発生する摩擦力等を利用することが知られている。
【０００３】
ところで、減速比によって発生するトルクやモータ軸の軸方向への変位によって発生する摩擦力は、外力負荷によりウィンドウが開けられることを防止し得るものの、通常のウィンドウの開閉時、つまり運転者によるウィンドウの開閉操作時においては、これらのトルクや摩擦力が電動モータの駆動抵抗となり、その結果、モータ効率を低下させることになる。そこで、このようなモータ効率の低下を抑制するために、モータ軸の軸方向への変位やモータ軸の回転方向に応じて作動または非作動するワンウェイクラッチを備えた減速機構付モータが、例えば、特許文献１に記載されている。
【０００４】
この特許文献１に記載された減速機構付モータは、モータ軸の先端側を回転自在に支持する軸受とモータ軸の軸方向におけるギヤケースとの間に、外周側がギヤケースに接触せずに軸方向からギヤケースの摩擦材に接触して作動するワンウェイクラッチを装着しており、このワンウェイクラッチの作動または非作動により、モータ効率の低下を抑制するようにしている。
【特許文献１】特開２００５−１１０４４９号公報
【発明の開示】
【発明が解決しようとする課題】
【０００５】
しかしながら、上述の特許文献１に記載された減速機構付モータによれば、ワンウェイクラッチがモータ軸の軸受よりも先端側に組み付けられるとともに、当該ワンウェイクラッチの外周側がギヤケースに対して規制されない状態にあるので、モータ軸の回転時にワンウェイクラッチの「振れ」が発生する。したがって、このワンウェイクラッチの「振れ」により、ワンウェイクラッチがギヤケースに接触して異音を発生したり、早期に軸受を磨耗させてモータ軸の摺動損失を増大させたりすることが起こり得る。また、ワンウェイクラッチの「振れ」により、ギヤケースに装着される摩擦材との接触が不安定になり、ひいては、発生する摩擦力の大きさがばらついてワンウェイクラッチの作動が不安定になるという問題が生じ得る。
【０００６】
そこで上記課題を解決すべく、例えば、図１０に示すように軸受Ａの軸方向寸法を長く設定するとともに、この軸受Ａの先端側でワンウェイクラッチＢを回転自在に支持させて、これにより上述のようなワンウェイクラッチの「振れ」を抑制することが考えられる。しかしながら、図１０に示すような軸受構造を採用する場合には、ギヤケースＣの収容部Ｄに対する軸受Ａの圧入距離が増加して圧入作業が困難となるばかりか、軸受Ａの圧入時に軸受Ａを変形させて内径寸法がばらつくといった問題が生じ得る。また、ワンウェイクラッチＢの外径寸法ｄａとモータ軸Ｅの外径寸法ｄｂとの寸法誤差により軸受Ａの内側を齧り、その結果、モータ軸の摺動損失が増大するといった問題も生じ得る。
【０００７】
本発明の目的は、摩擦材とワンウェイクラッチとを軸方向から凹凸係合させることにより、ワンウェイクラッチの「振れ」を抑制するようにした減速機構付モータを提供することにある。
【課題を解決するための手段】
【０００８】
本発明の減速機構付モータは、ウォームが一体的に設けられたモータ軸を有する電動モータと、前記ウォームと噛合い前記モータ軸の回転を減速するウォームホイールと、前記電動モータに取付けられ前記ウォームホイールを収容するギヤケースと、前記モータ軸の先端側に組み付けられ前記ウォームホイールから前記モータ軸への外力負荷時に前記モータ軸と前記ギヤケースとの相対回転を規制するワンウェイクラッチとを備えた減速機構付モータであって、前記ギヤケース内に設けられ、前記ウォームを収容するウォーム収容部と、前記ウォーム収容部に圧入され、前記モータ軸を前記ウォームと前記ワンウェイクラッチとの間で回転自在に支持する軸受と、前記ウォーム収容部の底部に設けられ、前記モータ軸の軸方向への変位に応じて前記ワンウェイクラッチが押圧される摩擦材とを有し、前記摩擦材の前記ワンウェイクラッチ側に凹部または凸部を形成するとともに、前記ワンウェイクラッチの前記摩擦材側に凸部または凹部を形成し、前記摩擦材と前記ワンウェイクラッチとを回転自在に凹凸係合することを特徴とする。
【０００９】
本発明の減速機構付モータは、前記凹部をすり鉢形状に形成することを特徴とする。
【発明の効果】
【００１０】
本発明によれば、ギヤケースに設けられる摩擦材のワンウェイクラッチ側に凹部または凸部を形成するとともに、ワンウェイクラッチの摩擦材側に凸部または凹部を形成し、摩擦材とワンウェイクラッチとを回転自在に凹凸係合するので、この摩擦材およびワンウェイクラッチの軸方向からの凹凸係合により、ワンウェイクラッチの径方向への移動が規制され、ワンウェイクラッチの「振れ」を効果的に抑制することができる。
【００１１】
本発明によれば、凹部をすり鉢形状に形成するので、モータ軸の軸方向への変位によってワンウェイクラッチが摩擦材に押圧される際、摩擦材におけるすり鉢状の凹部によりワンウェイクラッチをモータ軸の回転中心に対してセンタリングさせることができる。したがって、摩擦材とワンウェイクラッチとをより安定的に接触させることができ、ひいては、ワンウェイクラッチをより安定して作動させることができる。
【発明を実施するための最良の形態】
【００１２】
以下、本発明の第１実施の形態について図面を用いて詳細に説明する。
【００１３】
図１はパワーウィンドウ装置を備えた自動車のドアを説明する説明図を、図２は第１実施の形態におけるパワーウィンドウモータの断面図を、図３は図２の破線円ａ部分の部分拡大断面図を、図４はパワーウィンドウモータに装着される摩擦材を示す正面図を、図５は図３のＢ−Ｂ線に沿う断面図をそれぞれ表している。
【００１４】
図１に示すように、自動車のドア１０の内部には、パワーウィンドウ装置としての昇降装置１１が設けられている。この昇降装置１１は、減速機構付モータとしてのパワーウィンドウモータ１２と、パワーウィンドウモータ１２により揺動運動するメインアーム１３と、メインアーム１３とともにリンク機構を形成するサブアーム１４と、メインアーム１３およびサブアーム１４の端部（図中上端側）が図示しない滑車等を介して連結され、水平状態を保ちつつ図中上下方向に移動するウィンドウホルダ１５とを有している。
【００１５】
パワーウィンドウモータ１２にはコネクタ接続部１２ａが設けられており、このコネクタ接続部１２ａには、電線としてのコネクタ配線１６の一端側が接続されている。コネクタ配線１６の他端側は、例えば、図示しない車内のコンソールボックス等の内部に設置された車載用コントローラ１７に接続されている。そして、ドア１０の車内側に設けられたパワーウィンドウスイッチ（図示せず）を、運転者が開操作または閉操作することにより、パワーウィンドウモータ１２が正方向または逆方向に回転駆動されて、ウィンドウホルダ１５に支持されたウィンドウ１８が開閉（昇降）するようになっている。
【００１６】
図２に示すように、パワーウィンドウモータ１２は、電動モータ２０と、当該電動モータ２０に取付けられるギヤケース４０とから構成されている。電動モータ２０は、鋼板をプレス成形等の加工手段を施すことにより有底筒状に形成されるヨーク２１と、ヨーク２１の本体筒部２１ａの内側に径方向に向けて対向配置される一対のマグネット（永久磁石）２２と、各マグネット２２の内側に所定の隙間（エアギャップ）を介して回転自在に設けられる回転子（アーマチュアロータ）２３とを備えている。
【００１７】
回転子２３の中心軸には、モータ軸（アーマチュアシャフト）２４が貫通して設けられ、モータ軸２４の基端側（図中右側）は、ヨーク２１の段状底部２１ｂに装着された基端側軸受２５によって回転自在に支持されている。
【００１８】
モータ軸２４の基端側には、第１スチールボール２６が転動自在に装着されており、この第１スチールボール２６は、基端側軸受２５に外周側が支持されたスラストプレート２７の一側面（図中左側面）に当接している。このように、第１スチールボール２６とスラストプレート２７とを相互に点接触させることにより、モータ軸２４の回転抵抗を低減させるようにしている。
【００１９】
スラストプレート２７の他側面（図中右側面）には、硬質ゴム等の合成樹脂よりなる略円柱形状の弾性部材２８が設けられており、この弾性部材２８の軸方向への弾性変形によりモータ軸２４の軸方向に対する所定量の変位を許容し、かつ、モータ軸２４の軸方向に対するガタツキを防止するようにしている。
【００２０】
モータ軸２４における回転子２３の先端側（図中左側）には、回転子２３に巻かれたコイル２３ａに電気的に接続される整流子２９が隣接して設けられており、この整流子２９には、ギヤケース４０内に設けられるブラシ４１が所定の弾圧力をもって摺接するようになっている。
【００２１】
モータ軸２４の整流子２９よりも先端側には、ウォーム３０が一体的に形成されており、このウォーム３０の外径寸法ｄ１はモータ軸２４の外径寸法ｄ２よりも小さい外径寸法（ｄ１＜ｄ２）に設定されている。また、モータ軸２４のウォーム３０よりも先端側には、図３に示すように、ウォーム３０の外径寸法ｄ１よりも小さい外径寸法ｄ３の円柱部３１（ｄ３＜ｄ１）が一体的に形成されており、そのさらに先端側には、円柱部３１の外径寸法ｄ３よりも小さな外径寸法の小径円柱部３２が一体的に形成されている。このように、モータ軸２４を構成するウォーム３０，円柱部３１および小径円柱部３２は、それぞれモータ軸２４の先端側に行くにしたがって小径となるように形成されている。
【００２２】
モータ軸２４の小径円柱部３２には、ワンウェイクラッチ３３が組み付けられており、このワンウェイクラッチ３３は、図３および図５に示すように、有底筒状に形成され、外径寸法が円柱部３１の外径寸法ｄ３と同じ外径寸法ｄ３に設定されたクラッチハウジング３３ａを有している。このクラッチハウジング３３ａは、例えば、ねずみ鋳鉄等のＦＣ材を鋳造成形することにより形成され、その底部には、図中左方に向けて突出する凸部としての円錐形状凸部３３ｂが形成されている。クラッチハウジング３３ａの内周面には、径方向への溝深さが周方向に沿って変化するように溝底面が傾斜するクラッチ溝３３ｃが、周方向に向かって等間隔で３箇所に形成されている。
【００２３】
クラッチ溝３３ｃと、クラッチハウジング３３ａの中心部分に配置されるモータ軸２４の小径円柱部３２との間には、略円柱形状のクラッチローラ３３ｄが各クラッチ溝３３ｃに対応して３箇所に設けられている。各クラッチローラ３３ｄは、各クラッチローラ３３ｄに対応してそれぞれ設けられるコイルバネ３３ｅの弾性力により、小径円柱部３２の外周面とクラッチ溝３３ｃの内周面との間の距離が短くなる方向（図中反時計回り方向）に向けて常時押圧されている。
【００２４】
クラッチハウジング３３ａの内側の底部には、クラッチハウジング３３ａに対して非圧入状態で略円盤形状のスラストプレート３３ｆが設けられており、このスラストプレート３３ｆは、クラッチハウジング３３ａよりも高硬度の素材、例えば、ＳＫ材（高合金鋼）やＳＣ材（炭素鋼）等よりなる平板状の焼入れ鋼材をプレス成形（打ち抜き加工）することにより形成されている。
【００２５】
モータ軸２４の小径円柱部３２における先端部には、図中左側に向けて開口する有底筒状部３２ａが形成されており、この有底筒状部３２ａには一対の第２スチールボール３３ｇが軸方向に向けて互いに点接触するように装着されている。有底筒状部３２ａの底部（図中右側）に形成された傾斜面には、一方の第２スチールボール３３ｇが線接触するようになっている。これにより、他方の第２スチールボール３３ｇは小径円柱部３２に対して略抵抗無く転動可能となっており、各第２スチールボール３３ｇは、スラストプレート３３ｆと点接触することで第１スチールボール２６と同様にモータ軸２４の回転抵抗を低減させるようにしている。
【００２６】
ギヤケース４０には、有底状のウォーム収容部４２が形成されており、このウォーム収容部４２の軸方向における底部とクラッチハウジング３３ａの一側面（図中左側面）との間には、例えば、ポリイミド（ＰＩ）等の耐熱性樹脂よりなる略円盤形状の摩擦材４３が装着されている。
【００２７】
摩擦材４３は、図４に示すように本体部４３ａを有しており、この本体部４３ａには周方向に沿って等間隔で４つの切欠部４３ｂが形成されている。このように切欠部４３ｂを形成することにより、本体部４３ａの弾性変形を容易にしてウォーム収容部４２内への摩擦材４３の固定作業を容易に行えるようにしている。ただし、本実施の形態においては、切欠部４３ｂを本体部４３ａに等間隔で４つ設けているが、例えば、摩擦材４３の素材の硬度に応じてその数を任意に調整するようにしても良い。また、本体部４３ａの切欠部４３ｂを省略するとともに、本体部４３ａの外形寸法をウォーム収容部４２の内径寸法よりも小さい寸法に設定し、この摩擦材４３をウォーム収容部４２の底部に接着剤等の接着手段で固定するようにしても構わない。
【００２８】
本体部４３ａの中心部分には、外周部分がクラッチハウジング３３ａ側に向けて突出する一方、外周部分から中心部分に向かうにつれて徐々に深さが深くなる凹部としてのすり鉢形状凹部４３ｃが一体的に形成されており、このすり鉢形状凹部４３ｃの頂部がクラッチハウジング３３ａに接触するようになっている。すり鉢形状凹部４３ｃは、クラッチハウジング３３ａの円錐形状凸部３３ｂに対して略全面で接触可能な形状に形成されており、これにより、すり鉢形状凹部４３ｃと円錐形状凸部３３ｂとは相互に凹凸係合可能となっている。
【００２９】
なお、ワンウェイクラッチ３３は、電動モータ２０が停止した状態において、ヨーク２１の段状底部２１ｂに装着された弾性部材２８の弾性力により摩擦材４３に向けて押圧された状態、つまり、図２に示す状態となっている。
【００３０】
ここで、本発明におけるワンウェイクラッチは、クラッチハウジング３３ａ，クラッチローラ３３ｄ，スラストプレート３３ｆ，一対の第２スチールボール３３ｇ，小径円柱部３２および摩擦材４３によって構成されている。
【００３１】
ギヤケース４０のウォーム収容部４２は、図２に示すように、その底部側から、摩擦材４３が装着される第１収容部４２ａと、第１収容部４２ａよりも大径でウォーム３０が収容される第２収容部４２ｂと、第２収容部よりも大径の第３収容部４２ｃとを有している。
【００３２】
第１収容部４２ａの第２収容部４２ｂ側には、本発明における軸受としての先端側軸受４４が圧入して固定されており、この先端側軸受４４の内径寸法は、円柱部３１の外径寸法ｄ３と同じ寸法ｄ３に設定されている。したがって、先端側軸受４４は、モータ軸２４の円柱部３１をガタツキ無く回転自在に支持できるようになっている。
【００３３】
ウォーム収容部４２の第３収容部４２ｃには、中央部軸受４５が圧入して固定されており、この中央部軸受４５の内径寸法は、モータ軸２４の内径寸法ｄ２と同じ寸法ｄ２に設定されている。したがって、中央部軸受４５は、モータ軸２４をガタツキ無く回転自在に支持できるようになっている。
【００３４】
ギヤケース４０は、モータ軸２４に一体的に形成されたウォーム３０に噛み合うウォームホイール４６を収容しており、このウォームホイール４６の中心軸に装着された出力軸（図示せず）の先端側は、ギヤケース４０を貫通して外部に延出されている。そして、この出力軸の先端側には、ピニオンギヤ（図示せず）が装着されており、このピニオンギヤの回転駆動により、昇降装置１１（図１参照）を構成するメインアーム１３を揺動運動させ、ウィンドウ１８を昇降させるようになっている。
【００３５】
ここで、ウォーム３０とウォームホイール４６とによって、本発明における減速機構を構成しており、この減速機構は、ウォーム３０の回転速度に対してウォームホイール４６の出力軸の回転速度を減速させるとともに、その回転トルクを増幅させており、したがって、ドア１０（図１参照）の内部に装着し得る比較的小型のモータでありながら、比較的大きな出力を得ることができる。
【００３６】
ギヤケース４０の電動モータ２０側、つまり、モータ軸２４に設けられた整流子２９の近傍には、ブラシ４１が設けられるブラシ基板４７が装着されており、このブラシ基板４７には、図示しないターミナル（接続端子）の一端側が接続されている。また、ターミナルの他端側は、ギヤケース４０に一体的に形成されたコネクタ接続部１２ａの内部に導かれている。
【００３７】
次に、以上のように構成したパワーウィンドウモータ１２の動作について、図２および図５を用いて説明する。
【００３８】
運転者がパワーウィンドウスイッチを開操作すると、その開操作されたことを示す開操作信号が車載用コントローラ１７に入力され、車載用コントローラ１７からコネクタ配線１６を介してパワーウィンドウモータ１２に駆動電流（開操作電流）が供給される。パワーウィンドウモータ１２への開操作電流の供給により、回転子２３およびモータ軸２４が図中矢印Ａ方向に高速で回転（正回転）し、これに伴い、ウォームホイール４６は図中矢印Ａ方向に減速されて回転する。そして、ウォームホイール４６の高トルク化された回転力によって、ウィンドウ１８（図１参照）を所定の速度で下降させる（開く）ことができる。
【００３９】
このとき、ウィンドウ１８の重量等による反力がウォームホイール４６の図中矢印Ｂ方向に作用し、これにより、モータ軸２４は図中矢印Ｃ方向に変位する。モータ軸２４の図中矢印Ｃ方向への変位に伴い、モータ軸２４に組み付けられたワンウェイクラッチ３３が摩擦材４３から離間するとともに、モータ軸２４は弾性部材２８を圧縮変形させる。
【００４０】
ここで、モータ軸２４の正回転に伴い小径円柱部３２は図５に示すように矢印Ａ方向に回転され、各クラッチローラ３３ｄを介して小径円柱部３２とクラッチハウジング３３ａとが一体化される状態、つまり、ワンウェイクラッチ３３が効く状態になろうとする。しかし、上述のようにワンウェイクラッチ３３は摩擦材４３から離間しているので、モータ軸２４はワンウェイクラッチ３３に規制されること無く回転することができ、運転者の開操作によりウィンドウ１８をスムーズに下降させることができる。
【００４１】
一方、運転者がパワーウィンドウスイッチを閉操作すると、その閉操作されたことを示す閉操作信号が車載用コントローラ１７に入力され、車載用コントローラ１７からコネクタ配線１６を介してパワーウィンドウモータ１２に駆動電流（閉操作電流）が供給される。パワーウィンドウモータ１２への閉操作電流の供給により、回転子２３およびモータ軸２４が図中矢印Ｂ方向に高速で回転（逆回転）し、これに伴いウォームホイール４６は図中矢印Ｂ方向に減速されて回転する。そして、ウォームホイール４６の高トルク化された回転力によって、ウィンドウ１８を所定の速度で上昇させる（閉じる）ことができる。
【００４２】
このとき、ウィンドウ１８の重量等による反力がウォームホイール４６の図中矢印Ａ方向に作用し、これにより、モータ軸２４は図中矢印Ｄ方向に変位する。モータ軸２４の図中矢印Ｄ方向への変位に伴い、モータ軸２４に組み付けられたワンウェイクラッチ３３のクラッチハウジング３３ａが、摩擦材４３に対して強い力で押圧される。
【００４３】
ここで、モータ軸２４の逆回転に伴い小径円柱部３２は図５に示すように矢印Ｂ方向に回転され、各クラッチローラ３３ｄが小径円柱部３２およびクラッチハウジング３３ａから離れる状態、つまり、ワンウェイクラッチ３３が開放される状態（効かない状態）となる。したがって、小径円柱部３２は、第２スチールボール３３ｇのスラストプレート３３ｆ上における転同により略抵抗無く相対回転可能となり、運転者の閉操作によりウィンドウ１８をスムーズに上昇させることができる。
【００４４】
また、ウィンドウ１８が閉じた状態から、ウィンドウ１８に外力を負荷、つまり、車外から無理にウィンドウ１８を開ける方向に外力を作用させると、ウォームホイール４６を図２中矢印Ａ方向に回転させる方向に外力が作用する。すると、ウォームホイール４６とウォーム３０との噛合いにより、モータ軸２４が図中矢印Ｄ方向に変位し、モータ軸２４に組み付けられたワンウェイクラッチ３３のクラッチハウジング３３ａが摩擦材４３に対して強い力で押圧される。
【００４５】
このとき、図５に示すように、小径円柱部３２は図中矢印Ａ方向に回転しようとしてワンウェイクラッチ３３が効く状態となり、この状態のもとでクラッチハウジング３３ａと摩擦材４３との摩擦力により、モータ軸２４のギヤケース４０に対する相対回転が規制される。これにより、ウィンドウ１８を無理に開けようとする際の外力負荷によってウィンドウ１８が開けられてしまうのを防止することができる。
【００４６】
このように、運転者の開閉操作によるモータ駆動時におけるウィンドウ１８の昇降においては、ワンウェイクラッチ３３を効かない状態としてウィンドウ１８をスムーズに昇降させることができ、一方、車外からのウィンドウ１８に対する外力負荷時（モータ停止時）においては、ワンウェイクラッチ３３が効いた状態のもとでクラッチハウジング３３ａと摩擦材４３との摩擦力によりウィンドウ１８が開けられるのを防止することができる。
【００４７】
次に、パワーウィンドウモータ１２の組み立て方法について、図６ないし図８を用いて説明する。図６はギヤケース組立工程を説明する説明図を、図７は電動モータ装着工程を説明する説明図を、図８はウォーム収容部へのモータ軸の挿入手順を説明する説明図をそれぞれ表している。
【００４８】
図６の一点鎖線矢印に示すように、まず、ギヤケース４０のウォーム収容部４２に対して、摩擦材４３，先端側軸受４４および中央部軸受４５をこの順番で装着してギヤケース４０の組立体を組み立てる（ギヤケース組立工程）。このとき、摩擦材４３はすり鉢形状凹部４３ｃがギヤケース４０の開口側（図中右側）を向くようにして第１収容部４２ａの底部に装着し、先端側軸受４４は第１収容部４２ａの第２収容部４２ｂ側（図中右側）に圧入して装着し、中央部軸受４５は第３収容部４２ｃにおけるギヤケース４０の開口側に圧入して装着するようにする。
【００４９】
次いで、図７の一点鎖線矢印に示すように、ギヤケース組立工程を終えたギヤケース４０の開口側から、まず、別の組立工程でモータ軸２４の先端側にワンウェイクラッチ３３を予め組みつけておいた回転子２３の組立体を装着する。その後、ヨーク２１の組立体、つまり、ヨーク２１に対して弾性部材２８，スラストプレート２７，基端側軸受２５および一対のマグネット２２が予め組み付けられたものを、回転子２３を覆うように装着し、ネジ５０によりギヤケース４０と電動モータ２０とを締結する（電動モータ装着工程）。
【００５０】
電動モータ装着工程において、モータ軸２４をウォーム収容部４２に向けて挿入する際、図８の太線矢印および二点鎖線に示すように、ウォーム収容部４２の軸心とモータ軸２４の軸心とを一致させた状態のもとで、まず、モータ軸２４を回転自在に支持する中央部軸受４５（内径寸法ｄ２）に対して、その内径寸法よりも小径のワンウェイクラッチ３３および円柱部３１（何れも外径寸法ｄ３）とウォーム３０（外径寸法ｄ１）とを通過させる。
【００５１】
その後、モータ軸２４のウォーム収容部４２に対する挿入を継続して行い、先端側軸受４４（外径寸法ｄ３）に対して、ワンウェイクラッチ３３を通過させる。そして、クラッチハウジング３３ａの円錐形状凸部３３ｂを、摩擦材４３のすり鉢形状凹部４３ｃに突き当てて、円錐形状凸部３３ｂとすり鉢形状凹部４３ｃとを相互に凹凸係合させる。これにより、モータ軸２４の円柱部３１は先端側軸受４４によって回転自在に支持され、モータ軸２４は中央部軸受４５によって回転自在に支持されるようになる。
【００５２】
そして、電動モータ装着工程に引き続き、図示しない着磁電源装置により一対のマグネット２２を着磁し、その後、ウォームホイール４６（図２参照）をウォーム３０に噛み合うようにギヤケース４０に組み付けるとともに、ギヤケース４０に対して図示しないケースカバーを装着することでパワーウィンドウモータ１２の組み立てが完了する。
【００５３】
以上詳述したように、本発明の第１実施の形態におけるパワーウィンドウモータ１２によれば、ギヤケース４０に設けられる摩擦材４３のワンウェイクラッチ３３側にすり鉢形状凹部４３ｃを形成するとともに、ワンウェイクラッチ３３の摩擦材４３側に円錐形状凸部３３ｂを形成し、摩擦材４３とワンウェイクラッチ３３とを回転自在に凹凸係合したので、この摩擦材４３およびワンウェイクラッチ３３の軸方向からの凹凸係合により、ワンウェイクラッチ３３の径方向への移動を規制することができる。
【００５４】
したがって、ワンウェイクラッチ３３の「振れ」を効果的に抑制してワンウェイクラッチ３３の回転を安定化することができるので、先端側軸受４４の磨耗を抑えてモータ軸２４の摺動損失の増大を抑制することができるとともに、ワンウェイクラッチ３３における異音の発生を抑制することができる。
【００５５】
また、本発明の第１実施の形態におけるパワーウィンドウモータ１２によれば、すり鉢形状凹部４３ｃと円錐形状凸部３３ｂとを相互に凹凸係合するようにしたので、モータ軸２４の軸方向への変位によってワンウェイクラッチ３３が摩擦材４３に押圧される際、すり鉢形状凹部４３ｃのすり鉢形状によりワンウェイクラッチ３３をモータ軸２４の回転中心に対してセンタリングさせることができる。したがって、摩擦材４３とワンウェイクラッチ３３とを相互に安定的に接触させてワンウェイクラッチ３３を安定して作動させることができる。
【００５６】
次に、本発明の第２実施の形態について図９を用いて説明する。図９は第２実施の形態における図２の破線円ａ部分に対応する部分拡大断面図を表している。なお、上記第１実施の形態と同様の機能を有する部分については、同一の記号を付し、その詳細な説明を省略する。
【００５７】
図９に示すように、第２実施の形態に係るパワーウィンドウモータ６０は、第１実施の形態に比して、摩擦材４３とワンウェイクラッチ３３との凹凸係合の関係を逆の関係、つまり、摩擦材４３に円錐形状凸部４３ｄを形成するとともに、ワンウェイクラッチ３３にすり鉢形状凹部３３ｈを形成するようにした点が異なっている。
【００５８】
このように構成した第２実施の形態に係るパワーウィンドウモータ６０においても、上述した第１実施の形態に係るパワーウィンドウモータ１２と同様の作用効果を奏することができる。
【００５９】
本発明は上記実施の形態に限定されるものではなく、その要旨を逸脱しない範囲で種々変更可能であることは言うまでもない。例えば、上記各実施の形態においては、摩擦材４３とワンウェイクラッチ３３との凹凸係合を、互いに傾斜面で接触するように円錐形状凸部とすり鉢形状凹部とを係合させたものを示したが、本発明はこれに限らず、摩擦材４３とワンウェイクラッチ３３とのいずれか一方に、径方向および軸方向に延びる接触面を形成する円柱形状凸部を形成するとともに、いずれか他方に円形状凹部を形成し、これらを相互に凹凸係合させるようにしても良い。要は、相互に回転自在に凹凸係合可能な形状であればその形状は問わないものである。
【００６０】
また、上記各実施の形態においては、減速機構付モータとして、ウィンドウが外力負荷により開けられてしまうのを防止する機能を備えたパワーウィンドウモータであるものを示したが、本発明はこれに限らず、同様の機能が要求される、例えば、サンルーフ装置等に用いられる他の減速機構付モータにも適用することができる。
【００６１】
さらに、上記各実施の形態においては、減速機構付モータとして、ブラシ４１を備えたブラシ付の減速機構付モータであるものを示したが、本発明はこれに限らず、例えば、減速機構付のブラシレスモータ等にも適用することができる。
【図面の簡単な説明】
【００６２】
【図１】パワーウィンドウ装置を備えた自動車のドアを説明する説明図である。
【図２】第１実施の形態におけるパワーウィンドウモータの断面図である。
【図３】図２の破線円ａ部分の部分拡大断面図である。
【図４】パワーウィンドウモータに装着される摩擦材を示す正面図である。
【図５】図３のＢ−Ｂ線に沿う断面図である。
【図６】ギヤケース組立工程を説明する説明図である。
【図７】電動モータ装着工程を説明する説明図である。
【図８】ウォーム収容部へのモータ軸の挿入手順を説明する説明図である。
【図９】第２実施の形態における図２の破線円ａ部分に対応する部分拡大断面図である。
【図１０】ワンウェイクラッチの「振れ」に対する対応策の一例を示す部分拡大断面図である。
【符号の説明】
【００６３】
１０    ドア
１１    昇降装置（パワーウィンドウ装置）
１２，６０    パワーウィンドウモータ（減速機構付モータ）
１２ａ    コネクタ接続部
１３    メインアーム
１４    サブアーム
１５    ウィンドウホルダ
１６    コネクタ配線
１７    車載用コントローラ
１８    ウィンドウ
２０    電動モータ（減速機構付モータ）
２１    ヨーク
２１ａ    本体筒部
２１ｂ    段状底部
２２    マグネット
２３    回転子
２３ａ    コイル
２４    モータ軸
２５    基端側軸受
２６    第１スチールボール
２７    スラストプレート
２８    弾性部材
２９    整流子
３０    ウォーム（モータ軸，減速機構）
３１    円柱部（モータ軸）
３２    小径円柱部（モータ軸，ワンウェイクラッチ）
３２ａ    有底筒状部
３３    ワンウェイクラッチ
３３ａ    クラッチハウジング（ワンウェイクラッチ）
３３ｂ    円錐形状凸部（凸部）
３３ｃ    クラッチ溝
３３ｄ    クラッチローラ（ワンウェイクラッチ）
３３ｅ    コイルバネ（ワンウェイクラッチ）
３３ｆ    スラストプレート（ワンウェイクラッチ）
３３ｇ    第２スチールボール（ワンウェイクラッチ）
３３ｈ    すり鉢形状凹部（凹部）
４０    ギヤケース（減速機構付モータ）
４１    ブラシ
４２    ウォーム収容部
４２ａ    第１収容部
４２ｂ    第２収容部
４２ｃ    第３収容部
４３    摩擦材（ワンウェイクラッチ）
４３ａ    本体部
４３ｂ    切欠部
４３ｃ    すり鉢形状凹部（凹部）
４３ｄ    円錐形状凸部（凸部）
４４    先端側軸受（軸受）
４５    中央部軸受
４６    ウォームホイール（減速機構）
４７    ブラシ基板
５０    ネジ
【図１】
2008092775.tif 000003
【図２】
2008092775.tif 000004
【図３】
2008092775.tif 000005
【図４】
2008092775.tif 000006
【図５】
2008092775.tif 000007
【図６】
2008092775.tif 000008
【図７】
2008092775.tif 000009
【図８】
2008092775.tif 000010
【図９】
2008092775.tif 000011
【図１０】
2008092775.tif 000012